(57)【要約】【課題】コネクタの誤挿入防止が出来、信頼性が向上されたコネクタ誤挿入防止構造を実現する。【解決手段】コネクタのプラグへの誤挿入を防止するコネクタ誤挿入防止構造において、基板に設けられ多数ピンが規則的に配置された複数のプラグと、前記複数のプラグに対して選択的に嵌合接続される多数のコネクタと、前記プラグの上面に取付けられ前記プラグと前記コネクタとの接続を選択的に規制するための少なくとも一つの誤挿入防止突起部が設けられた誤挿入防止板とを具備したことを特徴とするコネクタ誤挿入防止構造である。【選択図】図１
2008210569.tif 000002
【特許請求の範囲】
【請求項１】
コネクタのプラグへの誤挿入を防止するコネクタ誤挿入防止構造において、
基板に設けられ多数ピンが規則的に配置された複数のプラグと、
前記複数のプラグに対して選択的に嵌合接続される多数のコネクタと、
前記プラグの上面に取付けられ前記プラグと前記コネクタとの接続を選択的に規制するための少なくとも一つの誤挿入防止突起部が設けられた誤挿入防止板と
を具備したことを特徴とするコネクタ誤挿入防止構造。
【請求項２】
前記誤挿入防止板は、前記コネクタが挿入される部分がくり貫かれた平板を有すること
を特徴とする請求項１記載のコネクタ誤挿入防止構造。
【請求項３】
前記誤挿入防止突起部は、矩形状を有する平板であること
を特徴とする請求項１又は請求項２記載のコネクタ誤挿入防止構造。
【請求項４】
前記誤挿入防止板は、前記プラグに前記コネクタを押圧固定すること
を特徴とする請求項１乃至請求項３の何れかに記載のコネクタ誤挿入防止構造。
【請求項５】
前記プラグと前記コネクタとが接続状態のままで着脱できるように前記誤挿入防止板の一端側に設けられた切欠部
を具備したことを特徴とする請求項１乃至請求項４の何れかに記載のコネクタ誤挿入防止構造。
【請求項６】
前記プラグが固定される基板と前記誤挿入防止板とに設けられ前記プラグに対する前記誤挿入防止板の位置を決める位置決め手段
を具備したことを特徴とする請求項１乃至請求項５の何れかに記載のコネクタ誤挿入防止構造。
【請求項７】
前記位置決め手段は、前記プラグが固定される基板に設けられたピンと、
前記誤挿入防止板に設けられ前記ピンに挿入される位置決め穴と
を具備したことを特徴とする請求項６記載のコネクタ誤挿入防止構造。
【発明の詳細な説明】
【技術分野】
【０００１】
本発明は、コネクタの誤挿入防止が出来、信頼性が向上されたコネクタ誤挿入防止構造に関するものである。
【背景技術】
【０００２】
コネクタ構造に関連する先行技術文献としては次のようなものがある。
【０００３】
【非特許文献１】京セラエルコ株式会社発行、カタログ、「２．０ｍｍ  ＨＡＲＤ  ＭＥＴＯＲＩＣ  ＭＵＬＴＩ  ＬＩＮＥ  ＭＯＤＵＬＥ  ＣＯＮＮＥＣＴＯＲＳ」、２００２年２月発行、Ｐ１２、Ｐ１３、Ｐ３０、
【０００４】
図５は従来より一般に使用されている従来例の構成説明図である。
図において、プラグ１はピンコンタクト２を有している。
プラグ１には、プラグ１に示すＡ１列、Ａ２列、Ａ３列……毎に１個のコネクタ３が接続される。
【０００５】
誤挿入防止用チューブ４は、コネクタ３をプラグ１に挿入する際に、あらかじめピンコンタクト２に挿入しておいて、誤挿入を防ぐ。
ここでは、一例として、Ａ１列、Ａ８列、Ａ１２列……には、コネクタ３は挿入されない。
この場合は、プラグ１は、プリント基板５に取り付けられている。
【発明の開示】
【発明が解決しようとする課題】
【０００６】
このような装置においては、以下の間題点がある。
誤挿入防止用チューブ４は手作業で挿入するので指し間違う恐れがある。
誤挿入防止用チューブ４の数量増加によって作業工数が増えてしまう。
誤挿入防止用チューブ４の挿入を間違えてしまい、コネクタ３が誤挿入されると、通電時に信号のＩ／Ｏエラーが発生する。Ｉ／Ｏエラーが発生した場合、そのエラー箇所を検出する作業と装置を解体する作業が大変である。
【０００７】
誤挿入防止用チューブ４は、コネクタ３の誤挿入時に、潰して実装されてしまう可能性がある。つまり、誤挿入防止用チューブ４の方式だと誤挿入防止としての役割を果たさない場合がある。
【０００８】
本発明の目的は、上記の課題を解決するもので、少ない作業工数で確実にコネクタの誤挿入を防止が出来、信頼性が向上されたコネクタ誤挿入防止構造を提供することにある。
【課題を解決するための手段】
【０００９】
このような課題を達成するために、本発明では、請求項１のコネクタ誤挿入防止構造においては、
コネクタのプラグへの誤挿入を防止するコネクタ誤挿入防止構造において、
基板に設けられ多数ピンが規則的に配置された複数のプラグと、
前記複数のプラグに対して選択的に嵌合接続される多数のコネクタと、
前記プラグの上面に取付けられ前記プラグと前記コネクタとの接続を選択的に規制するための少なくとも一つの誤挿入防止突起部が設けられた誤挿入防止板と
を具備したことを特徴とするコネクタ誤挿入防止構造。
【００１０】
本発明の請求項２のコネクタ誤挿入防止構造においては、請求項１記載のコネクタ誤挿入防止構造において、
前記誤挿入防止板は、前記コネクタが挿入される部分がくり貫かれた平板を有することを特徴とする。
【００１１】
本発明の請求項３のコネクタ誤挿入防止構造においては、請求項１又は請求項２記載のコネクタ誤挿入防止構造において、
前記誤挿入防止突起部は、矩形状を有する平板であることを特徴とする。
【００１２】
本発明の請求項４のコネクタ誤挿入防止構造においては、請求項１乃至請求項３の何れかに記載のコネクタ誤挿入防止構造において、
前記誤挿入防止板は、前記プラグに前記コネクタを押圧固定することを特徴とする。
【００１３】
本発明の請求項５のコネクタ誤挿入防止構造においては、請求項１乃至請求項４の何れかに記載のコネクタ誤挿入防止構造において、
前記プラグと前記コネクタとが接続状態のままで着脱できるように前記誤挿入防止板の一端側に設けられた切欠部を具備したことを特徴とする。
【００１４】
本発明の請求項６のコネクタ誤挿入防止構造においては、請求項１乃至請求項５の何れかに記載のコネクタ誤挿入防止構造において、
前記プラグが固定される基板と前記誤挿入防止板とに設けられ前記プラグに対する前記誤挿入防止板の位置を決める位置決め手段を具備したことを特徴とする。
【００１５】
本発明の請求項７のコネクタ誤挿入防止構造においては、請求項６記載のコネクタ誤挿入防止構造において、
前記位置決め手段は、前記プラグが固定される基板に設けられたピンと、前記誤挿入防止板に設けられ前記ピンに挿入される位置決め穴とを具備したことを特徴とする。
【発明の効果】
【００１６】
本発明の請求項１によれば、次のような効果がある。
コネクタの確実な誤挿入防止が出来、作業信頼性が向上されたコネクタ誤挿入防止構造が得られる。
従来例の様な、例えば、誤挿入防止のためのチューブを挿入するような誤挿入防止作業工数を低減できるコネクタ誤挿入防止構造が得られる。
【００１７】
本発明の請求項２によれば、次のような効果がある。
前記誤挿入防止板は、前記コネクタが挿入される部分がくり貫かれた平板を有するので、部品構成を単純にできるコネクタ誤挿入防止構造が得られる。
【００１８】
本発明の請求項３によれば、次のような効果がある。
誤挿入防止突起部は、矩形状平板を有するので、誤挿入防止突起部を容易に構成でき、安価なコネクタ誤挿入防止構造が得られる。
【００１９】
本発明の請求項４によれば、次のような効果がある。
誤挿入防止板は、プラグにコネクタを押圧固定するのでコネクタの脱落を確実に防止できると共に、コネクタの取付け機構が不要となり安価なコネクタ誤挿入防止構造が得られる。
【００２０】
本発明の請求項５によれば、次のような効果がある。
プラグとコネクタとが接続状態のままで着脱できるように、誤挿入防止板の一端側に切欠部が設けられたので、プラグとコネクタとを切り離すことなく接続状態のままで着脱でき、装置の組み立て後に、着脱が容易なコネクタ誤挿入防止構造が得られる。
【００２１】
本発明の請求項５によれば、次のような効果がある。
プラグが固定される基板と誤挿入防止板とに設けられ、プラグに対する誤挿入防止板の位置を決める位置決め手段が設けられたので、誤挿入防止板の取付け方向間違い防止と位置を正確に決めることが出来るコネクタ誤挿入防止構造が得られる。
【００２２】
本発明の請求項６によれば、次のような効果がある。
位置決め手段は、プラグが固定される基板に設けられたピンと、誤挿入防止板に設けられピンに挿入される位置決め穴とを有するので、ピンと位置決め穴とで構成でき、安価なコネクタ誤挿入防止構造が得られる。
【発明を実施するための最良の形態】
【００２３】
以下本発明を図面を用いて詳細に説明する。
図１は本発明の一実施例の要部構成説明図、図２は図１の側面図である。
図において、図５と同一記号の構成は同一機能を表す。
以下、図５との相違部分のみ説明する。
【００２４】
図１において、誤挿入防止板１１は、プラグ１のコネクタ挿入部１２に設けられ、コネクタ３が接続不要な箇所、この場合は、例えば、プラグ１のＡ１列，Ａ８列，Ａ１２列……に配置された誤挿入防止突起部１３を有する。
この場合は、誤挿入防止突起部１３は矩形状を有する平板である。
そして、誤挿入防止板１１は、コネクタ３が挿入される部分がくり貫かれた平板状をなしている。
【００２５】
位置決め手段１４は、プラグ１が固定される基板１５と誤挿入防止板１１とに設けられ、プラグ１に対する誤挿入防止板１１の位置を決める。
この場合は、位置決め手段１４は、プラグ１が固定される基板１５に設けられたピン１４１と、誤挿入防止板１１に設けられ、ピン１４１に挿入される位置決め穴１４２とを有する。
【００２６】
以上の構成において、コネクタ３をプラグ１に挿入する際に、誤挿入防止板１１の誤挿入防止突起部１３がピンコンタクト２をマスクすることによって誤挿入を防ぐことが出来る。
【００２７】
この結果、コネクタ３の確実な誤挿入防止が出来、信頼性が向上されたコネクタ誤挿入防止構造が得られる。
従来例の様な、例えば、誤挿入防止のためのチューブ４を挿入するような誤挿入防止作業工数を低減できるコネクタ誤挿入防止構造が得られる。
【００２８】
具体例として、例えば、従来方式での実績作業工数は、誤挿入防止チューブ４を５００本使用した場合に、約１２０分を要するが、本発明を実施した場合の作業工数は、約５分で良い。
【００２９】
誤挿入防止突起部１３は矩形状平板を有するので、誤挿入防止突起部１３を容易に構成でき、安価なコネクタ誤挿入防止構造が得られる。
【００３０】
プラグ１が固定される基板１５と誤挿入防止板１１とに設けられ、プラグ１に対する誤挿入防止板１１の位置を決める位置決め手段１４が設けられたので、誤挿入防止板１１の取付け方向間違い防止と位置を正確に決めることが出来るコネクタ誤挿入防止構造が得られる。
【００３１】
位置決め手段１４は、プラグ１が固定される基板１５に設けられたピン１４１と、誤挿入防止板１１に設けられピン１４１に挿入される位置決め穴１４２とを有するので、安価なコネクタ誤挿入防止構造が得られる。
【００３２】
図３は本発明の他の実施例の要部構成説明図、図４は図３の側面図である。
図３，図４において、誤挿入防止板２１，２２は、プラグ１にコネクタ３をそれぞれ押圧固定している。
切欠部２１１，２２１は、プラグ１とコネクタ３とが接続状態のままで着脱できるように、誤挿入防止板２１，２２の一端側に設けられている。
【００３３】
即ち、本実施例においては、誤挿入防止機能とコネクタ押さえ機能を共有した機構構成となっている。
コネクタ３をプラグ１に挿入する際に、誤挿入防止板２１，２２の突起部２１２，２２２がピンコンタクト２をマスクすることによって誤挿入を防ぎ、かつ、コネクタ押さえ部２１３，２２３によってコネクタ３を押さえて脱落を防ぐ構成となっている。
【００３４】
誤挿入防止板２１，２２には切り欠き部２１１，２２１があり、ケーブル等を通すことができる。コネクタ３をプラグ１に挿入後でもその切り欠き部２１１，２２１から誤挿入防止板２１，２２を着脱できる。
【００３５】
誤挿入防止板２１，２２は、装置あたり１枚ではなく、プラグ１の単位毎の細分化構成となっている。
細分化することにより、修理等でコネクタ３を交換する際に、作業規模を縮小することができる。
【００３６】
この場合は、位置決め手段２３、２４は、プラグ１が固定される基板２５に設けられたピン２３１，２４１と、誤挿入防止板２１，２２に設けられピン２３１，２４１に挿入される位置決め穴２３２，２４２とを有する。
【００３７】
図３に示す如く、位置決め用の穴２３２，２４２は、細分化されたそれぞれの誤挿入防止板２１，２２によって穴位置を互いに異なった場所に設ける。相対的に異なった場所に設けることにより、誤挿入防止板２１，２２の取り付け間違いを防止することが出来る。
【００３８】
以上の構成において、誤挿入防止板２１，２２を取り付ける前にコネクタ３をプリント基板２３のシルクに印字してある行き先情報を基に挿入する。
その後誤挿入防止板２１，２２のコネクタ押さえ部２１３，２２３でコネクタ３を押さえながら取り付ける。
【００３９】
この時にコネクタ３が誤った場所に取り付いている場合は、この誤挿入防止板２１，２２は突起部２１２，２２２がコネクタ３にぶつかり、取り付かないのでその場で誤挿入を確認することができる。
【００４０】
この結果、誤挿入防止板２１，２２は、プラグが取付けられる基板２３にコネクタ３を押圧固定するので、コネクタ３の脱落を確実に防止できると共に、コネクタ３の取付け機構が不要となり安価なコネクタ誤挿入防止構造が得られる。
【００４１】
プラグ１とコネクタ３とが接続状態のままで着脱できるように、誤挿入防止板２１，２２の一端側に切り欠き部２１１，２２１が設けられたので、プラグ１とコネクタ３とを切り離すことなく接続状態のままで着脱でき、装置の組み立て後に、着脱が容易なコネクタ誤挿入防止構造が得られる。
【００４２】
以上説明したように、ピンコンタクト２をマスクする箇所を製品によって変更することにより、種々の製品に使用することが出来る。
【００４３】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００４４】
【図１】本発明の一実施例の要部構成説明図である。
【図２】図１の側面図である。
【図３】本発明の他の実施例の要部構成説明図である。
【図４】図３の側面図である。
【図５】従来より一般に使用されている従来例の構成説明図である。
【符号の説明】
【００４５】
１      プラグ
２      ピンコンタクト
３      コネクタ
４      誤挿入防止用チューブ
５      プリント基板
１１    誤挿入防止板
１２    コネクタ挿入部
１３    誤挿入防止突起部
１４    位置決め手段
１４１  ピン
１４２  位置決め穴
１５    基板
２１    誤挿入防止板
２１１  切欠部
２１２  突起部
２１３  コネクタ押さえ部
２１４  位置決め用の穴
２２    誤挿入防止板
２２１  切欠部
２２２  突起部
２２３  コネクタ押さえ部
２３    位置決め手段
２３１  ピン
２３２  位置決め穴
２４    位置決め手段
２４１  ピン
２４２  位置決め穴
２５    基板
【図１】
2008210569.tif 000003
【図２】
2008210569.tif 000004
【図３】
2008210569.tif 000005
【図４】
2008210569.tif 000006
【図５】
2008210569.tif 000007